(57)【要約】【課題】グレンタンクと揚穀筒とのロック手段を備えたコンバインにおいて、該ロック手段の操作性の向上をなし、上部オーガの動作とも干渉せず、また該ロック手段を利用してグレンタンクの取外し・取付け等の運搬の容易化を図る。【解決手段】グレンタンク２を揚穀筒１側に連結するロック手段３のロックレバー７をグレンタンク２の揚穀筒１側に配し、該ロックレバー７の下方回動により連結状態になり、上方回動により連結状態が開放される。ロックレバー７は連結状態より上方への回動がストッパピン１１により所定角度に規制され、グレンタンク２を取外し、取付け時の取っ手となる。【選択図】図３
2011142846.tif 000002
【特許請求の範囲】
【請求項１】
穀粒を上昇搬送する揚穀筒と、該揚穀筒の上部の排出口から排出される穀粒をその上部の受入口から受け入れるとともに該揚穀筒にロック手段を介して取外し自在に連結して配されるグレンタンクとを備えるコンバインにおいて、
前記ロック手段は、前記グレンタンク側に突設される固定ピンに枢着され、該固定ピン回りに回動するロックレバーを備え、該ロックレバーの下方回動により連結状態になり、該ロックレバーの上方回動により連結状態が開放され、
かつ、前記ロックレバーは連結状態より上方への回動が所定角度に規制されてなる、
ことを特徴とするコンバイン。
【請求項２】
前記ロックレバーの連結状態は、該ロックレバーと前記揚穀筒側に固設されるフックとの係合作用によりなされる請求項１に記載のコンバイン。
【請求項３】
前記揚穀筒側に固設されるフックは、前記ロックレバーの軸方向に沿うとともに前記揚穀筒の排出口の前後２か所に配される請求項２に記載のコンバイン。
【請求項４】
前記グレンタンクの前記ロック手段が配置される側面とは反対の側面に取っ手が設けられてなる請求項１ないし３の内のいずれかに記載のコンバイン。
【発明の詳細な説明】
【技術分野】
【０００１】
この発明は着脱自在のグレンタンクを備えたコンバインに関し、詳しくは、グレンタンクと揚穀筒との連結をなすロック手段、更には該ロック手段を取っ手として利用するグレンタンクの取っ手構造に関する。
【背景技術】
【０００２】
コンバインにおいて、脱穀部で脱穀された穀粒を該脱穀部の下部から揚穀筒を介して上方へ搬送し、該揚穀筒の開口に連通するグレンタンクを配し、該揚穀筒の開口より送り込まれる穀粒をグレンタンクで受け入れて一時的に貯留すること、また、貯留された穀粒を下部タンクから横搬送手段及び縦搬送手段を介して上部のオーガ部から外部に排出することは通常採られる構成である。そして、該グレンタンクを揚穀筒に対して着脱自在になし、該グレンタンクの取外しを図るようにしている。
【０００３】
上記の技術にあって、グレンタンクと揚穀筒との連通部での密着性を高めること、及びグレンタンクを取り外した後の持ち運び易さを図ることは理に適ったことであり、特許第３３５３７６０号公報（特許文献１）にはその一提案がなされている。当該公知技術では、揚穀筒の上面に配したオーガ受けとグレンタンクとの間にロック手段としての着脱具を配し、該着脱具のパッチン施錠をもってグレンタンクと揚穀筒との連結をなし、また、グレンタンクの外側上部にハンドルを配し、グレンタンクの供給口と該ハンドルとに両手を掛けて持ち運ぶようにしている。
【０００４】
しかし、当該公知技術では、着脱具のロック操作はグレンタンクの上面での高い位置での操作となり、操作性の悪化を招くものであって、また、揚穀筒の上面に配されるオーガ受けへの取付けであることから、その設置位置が限定され、設計の自由度が小さいものである。更には、その持ち運び操作においても供給口が使用され、決して持ち運び易いとは言い難いものである。
【先行技術文献】
【特許文献】
【０００５】
【特許文献１】特許第３３５３７６０号公報
【発明の概要】
【発明が解決しようとする課題】
【０００６】
本発明は上記実情に鑑み、グレンタンクと揚穀筒との連結をなすロック手段を備えたコンバインにおいて、当該ロック手段の操作性の向上をなし、上位に配されるオーガの動作とも干渉せず、オーガ等の配置の自由度を確保し、また該ロック手段を利用してグレンタンクの取外し・取付け等の運搬の容易化を図ることを目的とする。
【課題を解決するための手段】
【０００７】
本発明は、穀粒を上昇搬送する揚穀筒（１）と、該揚穀筒の上部の排出口（１Ａ）から排出される穀粒をその上部の受入口（２Ａ）から受け入れるとともに該揚穀筒にロック手段（３）を介して取外し自在に連結して配されるグレンタンク（２）とを備えるコンバイン（２０）において、
前記ロック手段（３）は、前記グレンタンク（２）側に突設される固定ピン（６）に枢着され、該固定ピン（６）回りに回動するロックレバー（７）を備え、該ロックレバー（７）の下方回動により連結状態になり、該ロックレバー（７）の上方回動により連結状態が開放され、
かつ、前記ロックレバー（７）は連結状態より上方への回動が所定角度に規制されてなる、
ことを特徴とする。
【０００８】
前記ロックレバー（７）の連結状態は、例えば図３を参照してみると、該ロックレバー（７）と前記揚穀筒（１）側に固設されるフック（９）との係合作用によりなされる。該係合作用はフック（９）との当接あるいは嵌合を含み、図例に限定されない。
【０００９】
前記揚穀筒（１）側に固設されるフックは、例えば図３、図８を参照してみると、前記ロックレバー（７）の軸方向に沿うとともに前記揚穀筒の排出口の前後２か所（９Ａ，９Ｂ）に配される。
【００１０】
前記グレンタンク（２）のロック手段（３）が配置される側面とは反対の側面に取っ手（１５）が設けられてなる（図２、図５、図６参照）。
【００１１】
なお、括弧内の符合は図面を参照するためのものであって、特許請求の範囲に記載の構成を何ら限定するものではない。
【発明の効果】
【００１２】
請求項１に係る本発明によると、ロック手段のロックレバーの引上げによるロック状態の解除によっても引上げ量が規制されているので、該ロックレバーは上部オーガに接当することがなく、グレンタンクの着脱を支障なく行うことができる。また、ロックレバーはロック状態の解除によってもその移動量が小さく規制されるので、作業者が把持し易く、作業性が向上する。
【００１３】
請求項２に係る本発明によると、連結は単純な形状をなす突起状のフックによりなされるので、ロック手段の構成を簡単なものとすることができ、製作コストを低減することができる。
【００１４】
請求項３に係る本発明によると、揚穀筒の排出口の前後２個所にフックを設けたことにより、上記揚穀筒の排出口にグレンタンクの受入口を強く密着させることができ、これら揚穀筒の排出口と、グレンタンクの受入口との間から籾が漏れることを防止することができる。また、２個所のフックによりロックレバーとの当接を分散して均等に受けるので、フックの摩耗を低減することができる。
【００１５】
請求項４に係る本発明によると、ロックレバーはその移動量が小さく規制されるので、作業者が把持し易く、他の側面の取っ手と協働してグレンタンクを容易に持ち上げ、持ち運ぶことができる。
【図面の簡単な説明】
【００１６】
【図１】本発明に係るコンバインの全体側面図。
【図２】本発明に係るコンバインの全体平面図。
【図３】グレンタンクと揚穀筒との関連を示す斜視図。
【図４】グレンタンクの分解斜視図。
【図５】グレンタンクの前面図。
【図６】グレンタンクの後面図。
【図７】グレンタンクの下部部分の断面図。
【図８】ロック手段の動作図。
【図９】グレンタンクの取外し操作要領図。
【図１０】グレンタンクの持ち運び及び取付け操作要領図。
【発明を実施するための形態】
【００１７】
以下、図面に基づき本発明の実施の形態を説明する。図１、図２はそれぞれ、本発明が適用されたコンバインの側面及び正面の全体構成を示し、該コンバイン２０は、クローラ走行装置２１に支持された走行機体２２を有し、その前部には刈取り装置２３が配されるとともに、該刈取り装置２３の後方の右側部には運転座席２５が配設されている。また、該刈取り装置２３の後方左側部には脱穀部２６が配されるとともに、該脱穀部２６の後部には後処理部２７が設けられ、前記刈取り部２３で刈り取られた穀稈を脱穀すると共に、排稈の切断処理が行われる。
【００１８】
一方、該脱穀部２６の側方かつ運転座席２５の後方には、該脱穀部２６で脱穀されるとともに揚穀筒１を介して搬入される穀粒を一時的に貯留するグレンタンク２が配設される。揚穀筒１内には螺旋体（図示せず）が配され、また、揚穀筒１の上部には螺旋体の作動により上昇してきた穀粒を排出する排出口１Ａがグレンタンク２に向けて開設され、グレンタンク２の側面には前記排出口に対応して受入口２Ａが開設され、揚穀筒１からの穀粒を受け入れる。グレンタンク２に貯留された穀粒は、下部タンク２９の上部に配されたガイド板３０を介して下部タンク２９内に落下する。更に、下部タンク２９内に貯まった穀粒は螺旋体の駆動により、下部タンク２９及び縦ラセン筒３１を経由して機体の上部に配される上部オーガ３２によって機体外へと排出される。３３は下部タンク２９内に配された螺旋体（図７）であり、また縦ラセン筒３１、排出オーガ３２内にも螺旋体（図示せず）が配される。更に、図４において、３５はエンジン部（図示せず）からの動力を受けて駆動される入力プーリであり、該入力プーリ３５の駆動軸３５ａの回転をギアケース３６を介して螺旋体３３を回転させる。そして、該グレンタンク２は機体から取外し自在となっており、着脱タンクとも称される。
【００１９】
該グレンタンク（着脱タンク）２は、上部が断面容量が大きく下部が小さくなって挿口部４０をなす漏斗状に構成されており、下部タンク２９の受口部４１の開口４１ａに嵌め込まれて載置状に設置されるようにされている。詳しくは、挿口部４０の下端４０ａの外周を囲むブラケット体４０ｂが該下端４０ａに対しボルト固定をもって取り付けられ、またブラケット体４０ｂのフランジ下面にスポンジ態様のシール材４０ｃが固着される。そして、ブラケット体４０ｂの下方への突出部すなわち脚部４０ｄが受口部４１の開口４１ａ内に差し込まれ、シール材４０ｃは緩衝材として受口部４１の上面に載置される。なお、挿口部４０の下端４０ａを含むグレンタンク２の本体は合成樹脂材よりなり、ブラケット体４０ｂは金属材よりなる。ブラケット体４０ｂを金属材としたことにより、グレンタンク２の下部タンク２９内への嵌込み使用の耐久性が図られる。
【００２０】
更に、ブラケット体４０ｂの脚部４０ｄは、前部、後部及び外側面部において鉛直状を採り、内側部において傾斜状を採り、下部タンク２９の受口部４１の開口４１ａの内側形状に対応し、該開口４１ａ内への嵌込み操作（後記）の容易化を図っている。
【００２１】
なお、図において、４５は揚穀筒１にブラケットを介して取り付けられるオーガ操作部であり、オーガ受４６は本実施形態ではこのオーガ操作部４５を介して構造部材としての揚穀筒１に支持されている。
【００２２】
本実施形態では、揚穀筒１とグレンタンク２との連結をなすロック手段３に特徴を有する。すなわち、本ロック手段３は図示（図３、図８を特に参照）されるように、ブラケット５、固定ピン６、ロックレバー７、フック９、ストッパー１０及びストッパーピン１１の各部材からなる。以下、詳述する。
【００２３】
ブラケット５は平板状をなし、グレンタンク２の側面において該グレンタンク２の受入口２Ａ回りに適宜の固定手段（本実施形態ではボルト・ナット態様を採る）をもって固定される。また、該ブラケット５は、揚穀筒１の上端部１ａに可及的接するように配される。固定ピン６は該ブラケット５の後部寄りにその板面に直交して固設される。ロックレバー７はその基部７ａの孔を前記固定ピン６に嵌装（回り対偶態様）して該固定ピン６回りに回動自在とされ、レバー杆７ｂは揚穀筒１の頭部１ａを跨ぐ長さを有し、該レバー杆７ｂの端部には取っ手７ｃが装着される。ロックレバー７の基部７ａは固定ピン６に沿って一定長を有し、また固定ピン６からの抜止め手段も施されることは言うまでもない。本実施形態では、レバー杆７ｂは折れ曲げ状をなすが、所期の機能を果すものであれば、直線その他の線形を除外しない。
【００２４】
フック９は、水平部９ａと鉛直部９ｂとからなる切欠き９ｃを上方に保持した状態で、かつ該切欠き９ｃをグレンタンク２に背を向けた状態で、揚穀筒１の頭部１ａの上面に間隔を保って固設される。
【００２５】
本実施形態では、排出口１Ａの後部と前部とに、後部のフック９Ａと前部のフック９Ｂとの２つのフック９が配し、排出口１Ａにグレンタンク２の受入口２Ａを強く密着させていると共に、ロックレバー７からの押付け力を分散して均等に受けている。これにより、揚穀筒１の排出口１Ａと、グレンタンク２の受入口２Ａとの間から籾が漏れることが防止されていると共に、応力集中によりフック９が摩耗することを防止している。
【００２６】
該フック９はその切欠き９ｃにロックレバー７を受け入れ、その鉛直部９ｂとの当接によりロック手段３のロック状態をなし、また水平部９ａとの当接でロックレバー７の下動を規制する。なお、フック９は、１又は３か所以上に配設しても良い。１か所においては、排出口１Ａの中央の上方位置が好ましい。
【００２７】
ストッパー１０は、水平部１０ａと鉛直部１０ｂとからなる切欠き１０ｃを上方に保持した状態で、かつ該切欠き１０ｃをグレンタンク２側に向けた状態で、ブラケット５に固設される。水平部１０ａはフック９の水平部９ａよりも低い位置を採り、また鉛直部１０ｂはフック９の鉛直部９ｂよりも丈高とされる。
【００２８】
ストッパー１０はその切欠き１０ｃにロックレバー７を受け入れ、鉛直部１０ｂは、グレンタンク２に機体外側に倒れる力が働き、フック９からロックレバー７が力を受けた際に、基部７ａを中心としてロックレバー７が片持ち状に変形しないように、基部７ａとは反対側でロックレバー７を支持している。また、これにより、グレンタンク２のぐらつきを防止して揚穀筒１への密着性を高めていると共に、鉛直部１０ｂは、ロックレバー７の下動につきフック９に先立って該下動の案内にもなっている。
【００２９】
ストッパーピン１１は、固定ピン６の近傍部で、かつレバー杆７ｂの上方位置にブラケット５に該ブラケット５に板面に直交して固定される。該ストッパーピン１１はロックレバー７の所定の上動に対してレバー杆７ｂと当接し、該ロックレバー７の上動を規制する。
【００３０】
上記にあって、フック９、ストッパー１０のそれぞれの水平部９ａ，１０ａ、鉛直部９ｂ，１０ｂは、厳密な水平、鉛直を意味するものではなく、若干の傾斜を許容する。特に、鉛直面９ｂ，１０ｂは下方に至るにつれテーパを付すことも考慮される。
【００３１】
これらの各部材５〜１１は、互いに所定の関係（配置、形状、寸法等）を有し、所定の機能を達成するものである。したがって、所期の機能を発揮するのであれば、上記の構成に限定されるものではなく、適宜変更が可能である。例えば、
１）ロック状態は、本実施形態ではロックレバー７とフック９の鉛直部９ｂとの当接作用によるが、フック９の上方に向けて開口する凹部を設け、この凹部にロックレバー７のレバー杆７ｂを強嵌合させる態様を採ることができる。更には、ロックレバー７のレバー杆７ｂが直線状をなすとの前提に、フック９の鉛直部９ｂとストッパー１０の鉛直部１０ｂとの挟み付け作用によることもできる。
２）また、ロックレバー７の下動の規制はフック９の水平部９ａ及びストッパー１０の水平部１０ａの両方への当接であってもよく、あるいはストッパー１０の水平部１０ａへの当接であってもよい。
３）更に、ロックレバー７の上動回転の規制は本実施形態ではストッパーピン１１によるが、枢着部での回転量規制であってもよい。
【００３２】
本実施形態において、グレンタンク２に複数の取っ手が配される。これは前記したロック手段３のロックレバー７が取っ手となることに関連して、その利便性に着目して新たに配されたものである。すなわち、当該ロック手段３のロックレバー７を第１取っ手とし、第２取っ手１５、第３取っ手１６及び第４取っ手１７がグレンタンク２の各側面に配されるものである。以下詳述する。
【００３３】
第１取っ手は、前記したとおりグレンタンク２の一方の側面（これを内側面と称す。）の上面に配されたロック手段３のロックレバー７を指し、狭義にはその先端の取っ手７ｃを指す。第２取っ手１５は、短尺体よりなり、グレンタンク２の他方の側面（これを外側面と称す。）の上面に配される。該第２取っ手１５は第１取っ手７と同一位相（高さ）をなす。第３取っ手１６は、グレンタンク２の後面に上下方向に長く配される。第４取っ手１７は、グレンタンク２の前面の凹曲面部に合わせて斜めに取り付けられる。該第４取っ手１７は第３取っ手１６に対応して配されるものであり、作業者が第３取っ手１６と第４取っ手１７を把持したとき、グレンタンク２を抱き込む体勢となる、換言すればグレンタンク２の重心は作業者に最も近くなる。
【００３４】
上記構成よりなるグレンタンク２、特にロック手段３を有する本実施形態のコンバイン２０は以下の作用を奏する。以下、グレンタンク２の定常状態、及びその取外しから取付けの操作手順に則して述べる（図９、図１０）。
【００３５】
１）グレンタンク２が定常状態を採るとき、ロック手段３は、ロックレバー７のレバー杆７ｂがフック９及びストッパー１０のそれぞれの鉛直部９ｂ．１０ｂ間に押込み力をもって介在し、換言すれば該レバー杆７ｂはフック９及びストッパー１０のそれぞれの鉛直部９ｂ．１０ｂから強い挟着作用を受け、揚穀筒１とグレンタンク２とを互いに引き寄せ、揚穀筒１の排出口１Ａとグレンタンク２の受入口２Ａとは密接し、それらの排出口１Ａ・受入口２Ａ部分でのガタつきがない。ロック手段３はグレンタンク２の上面よりも低い位置に配され、上部オーガ３２の移動操作に支障はない。また、グレンタンク２の下方部では（図４、図７参照）、グレンタンク２の挿口部４０にブラケット体４０ｂが装着されており、該ブラケット体４０ｂの脚部４０ｄが下部タンク２９の受口部４１の開口４１ａに嵌まり込み、また該ブラケット体４０ｂのフランジが下部タンク２９の受口部４１の上面に載置され、グレンタンク２は安定して支持される。
【００３６】
２）グレンタンク２を取り外すとき、先ずロック手段３のロックレバー７を上方へ持ち上げる。ロックレバー７は長尺をなし、先端の取っ手７ｃに力を加えることにより、そのてこ作用により格別大きな力を要さずにフック９とストッパー１０との拘束力より開放されることになる。これにより、グレンタンク２は揚穀筒１より離脱可能となる。更に、ロックレバー７の持ち上げはストッパーピン１１により所定の上昇距離だけ規制される。すなわち、ストッパーピン１１はロックレバー７の支点近傍に配されているので、ロックレバー７は小さな回動角度でストッパーピン１１に当接し、ロックレバー７の上昇は小さく抑えられ、ロックレバー７の可能最大高さは上部オーガ３２の移動域に入り込まない。
【００３７】
３）次いで、作業者はグレンタンク２の外側面に位置し、グレンタンク２の第３取っ手１６と第４取っ手１７とを把持し、グレンタンク２を抱きかかえて該グレンタンク２を持ち上げる。このとき、グレンタンク２の下部はブラケット体４０ｂを介して下部タンク２９と嵌合いを採り、下部タンク２９に載置された構成を採るので、下部タンク２９からた易く外れる。このグレンタンク２の持上げ操作中、ロックレバー７は小さな回動角度に抑えられているので、上部オーガ３２との接当は避けられる。
【００３８】
４）グレンタンク２を運搬移動するとき、作業者はグレンタンク２の後部に位置するとともに該グレンタンク２の第１取っ手すなわちロック手段３のロックレバー７と第２取っ手１５とを把持し、該グレンタンク２を持ち上げ、運搬する。このとき、ロック手段３のロックレバー７はロックが解除された状態となっているが、ロックレバー７の回動は小さく、持ち上げ操作においてロックレバー７は固定状態を採り、ぐらつきがなく、第２取っ手１５との協働により運搬作業は容易になされる。
【００３９】
５）グレンタンク２を取り付けるとき、グレンタンク２を第１取っ手のロック手段３のロックレバー７と第２取っ手１５とを把持して該グレンタンク２を持ち上げ、第３取っ手１６及び第４取っ手１７に持ち替えて、該グレンタンク２の下端部をブラケット体４０ｂを介して下部タンク２９の上縁部に載せる。このとき、ブラケット体４０ｂの脚部４０ｄは下部タンク２９の開口４１ａ内に入り込む。次いで、第１取っ手のロック手段３を放し、該グレンタンク２の下端部を支点にして該グレンタンク２を上方に回動して立ち上げる。このグレンタンク２の立上げ操作中、ロックレバー７は小さな回動角度に抑えられているので、上部オーガ３２との接当は避けられる。
【００４０】
グレンタンク２が立ち上がり定位置に配されると、ロック手段３を操作してそのロックレバー７をロック状態にしてグレンタンク２を固定する。すなわち、ロックレバー７を持ち上げ、揚穀筒１の上面のフック９の上方を通過させるとともに下方に引き降ろし、該ロックレバー７をフック９とストッパー１０との間に押し込む。これにより、揚穀筒１とグレンタンク２とは互いに引き寄せられ、グレンタンク２は固定され定常状態を採る。
【００４１】
上記のようにコンバイン２０を構成したことにより、以下の効果を発揮する。
１）ロック手段３はグレンタンク２の側面に取り付けられるので、配置位置が低くなり、その操作がし易い。
２）ロック手段３のロックレバー７の引上げによるロック状態の解除によっても引上げ量が規制されているので、上部オーガ３２に接当することがなく、グレンタンク２を支障なく取り外すことができる。
３）ロックレバー７の開き角度をストッパーピン１１の位置に応じて予め決めることができるので、該ロックレバー７を開く量がわかり易い。
４）オーガ受けはロック手段３の配設位置に特に限定されず、本コンバイン２０の上方に配される上部オーガ３２の配置を自由に定めることができる。
５）ロックレバー７はロック状態の解除によっても移動量は小さく抑止されているので、作業者が把持し易く、第２取っ手１５と協働してグレンタンク２を容易に持ち運ぶことができる。
６）グレンタンク２を取り外すときは第３取っ手１６と第４取っ手１７とを把持することにより、グレンタンク２を抱きかかえるようにして持つことができ、持ち上げるときに力が入り易く、嵌め合いを外す作業がし易い。
【符号の説明】
【００４２】
１  揚穀筒
２  グレンタンク
３  ロック手段
６  固定ピン
７  ロックレバー
９  フック
１０  ストッパー
１１  ストッパーピン
２０  コンバイン
【図１】
2011142846.tif 000003
【図２】
2011142846.tif 000004
【図３】
2011142846.tif 000005
【図４】
2011142846.tif 000006
【図５】
2011142846.tif 000007
【図６】
2011142846.tif 000008
【図７】
2011142846.tif 000009
【図８】
2011142846.tif 000010
【図９】
2011142846.tif 000011
【図１０】
2011142846.tif 000012